(57)【要約】【課題】天板の下方に物品収納ユニットが吊下げ支持された天板付き什器において、執務者が任意に物品収納ユニットの形状を変更可能とする。【解決手段】床面上に立設可能な脚体部と、脚体部により支持された天板と、少なくとも一部が天板の下面に接続された状態で天板の下方に吊下げ支持された物品収納ユニット６とを備える天板付き什器であって、物品収納ユニット６は、物品が載置可能な物品載置部６ａ３と、水平方向における物品載置部６ａ３の両端位置の各々に設けられると共に天板の下方で物品載置部６ａ３を吊下げ支持する第１吊下げ支持部６ａ４及び第２吊下げ支持部６ａ５と、第１吊下げ支持部６ａ４及び第２吊下げ支持部６ａ５の上端が接続されると共に、第１吊下げ支持部６ａ４の上端位置を左右方向に変更可能とする接続位置変更機構６ｃとを備える。【選択図】図３
2018121946.tif 000002
【特許請求の範囲】
【請求項１】
床面上に立設可能な脚体部と、前記脚体部により支持された天板と、少なくとも一部が天板の下面に接続された状態で前記天板の下方に吊下げ支持された物品収納ユニットとを備える天板付き什器であって、
前記物品収納ユニットは、
物品を収納可能な収納本体部と、
水平方向における前記収納本体部の両端位置の各々に設けられると共に前記天板の下方で前記収納本体部を吊下げ支持する一対の吊下げ支持部と、
前記吊下げ支持部の上端が接続されると共に、少なくとも一方の前記吊下げ支持部の上端位置を一対の前記吊下げ支持部の離間方向に変更可能とする接続位置変更機構と
を備える天板付き什器。
【請求項２】
前記接続位置変更機構は、
前記天板の下方に配置されると共に前記離間方向に延びる長穴を有する固定具と、
前記長穴の内部を前記離間方向に沿って移動可能に前記固定具に係止されると共に前記吊下げ支持部の上端が接続された被係止部と
を備える請求項１記載の天板付き什器。
【請求項３】
前記固定具は、前記離間方向と直交する水平方向に離間して一対設けられている請求項２記載の天板付き什器。
【請求項４】
前記収納本体部と前記吊下げ支持部とが布素材からなると共に一体的に連続している請求項１〜３いずれか一項に記載の天板付き什器。
【請求項５】
前記吊下げ支持部の外面に設けられるポケットを有する請求項１〜４いずれか一項に記載の天板付き什器。
【発明の詳細な説明】
【技術分野】
【０００１】
本発明は、天板付き什器に関するものである。
【背景技術】
【０００２】
オフィスや公共施設等の執務空間には、執務者に作業エリアを提供するための天板を備えたデスク装置が配設されるのが一般的である。このようなデスク装置では、例えば特許文献１に開示されているように、執務者の荷物や資料を収納するための収納部が天板に対して取り付けられた構造を採用する場合がある。この特許文献１では、天板に対して吊下げ具を介して収納部が吊下げ支持されている。
【先行技術文献】
【特許文献】
【０００３】
【特許文献１】実開昭６１−０５５８３８号公報
【発明の概要】
【発明が解決しようとする課題】
【０００４】
しかしながら、特許文献１に開示されているような従来の収納部は、剛性部材からなるものであるため、形状変化が可能とされていない。このため、執務者が収納する物品の形状に合わせたり、天板の下面からの垂下量を調整したりするために収納部を変形させることができなった。
【０００５】
本発明は、上述する問題点に鑑みてなされたもので、天板の下方に物品収納ユニットが吊下げ支持された天板付き什器において、執務者が任意に物品収納ユニットの形状を変更可能とすることを目的とする。
【課題を解決するための手段】
【０００６】
本発明は、上記課題を解決するための手段として、以下の構成を採用する。
【０００７】
第１の発明は、床面上に立設可能な脚体部と、上記脚体部により支持された天板と、少なくとも一部が天板の下面に接続された状態で上記天板の下方に吊下げ支持された物品収納ユニットとを備える天板付き什器であって、上記物品収納ユニットが、物品を収納可能な収納本体部と、水平方向における上記収納本体部の両端位置の各々に設けられると共に上記天板の下方で上記収納本体部を吊下げ支持する一対の吊下げ支持部と、上記吊下げ支持部の上端が接続されると共に、少なくとも一方の上記吊下げ支持部の上端位置を一対の上記吊下げ支持部の離間方向に変更可能とする接続位置変更機構とを備えるという構成を採用する。
【０００８】
本発明によれば、収納本体部を吊下げ支持する一対の吊下げ支持部のうち少なくとも一方の上端が接続位置変更機構により、２つの吊下げ支持部が離間する方向に移動可能とされている。このため、接続位置変更機構により吊下げ支持部の上端位置が変更されることによって、吊下げ支持部の姿勢が変更され、この吊下げ支持部を有する物品収納ユニットが変形する。したがって、本発明によれば、接続位置変更機構を執務者が操作することによって、物品収納ユニットを容易に形状変更することができる。よって、本発明によれば、天板の下方に物品収納ユニットが吊下げ支持された天板付き什器において、執務者が任意に物品収納ユニットの形状を変更することができる。
【０００９】
第２の発明は、上記第１の発明において、上記接続位置変更機構が、上記天板の下方に配置されると共に上記離間方向に延びる長穴を有する固定具と、上記長穴の内部を上記離間方向に沿って移動可能に上記固定具に係止されると共に上記吊下げ支持部の上端が接続された被係止部とを備えるという構成を採用する。
【００１０】
本発明によれば、被係止部を固定具の長穴に沿って移動させることによって容易に吊下げ支持部の上端位置を変更することができる。したがって、本発明によれば、物品収納ユニットの形状をより容易に変更することが可能となる。
【００１１】
第３の発明は、上記第２の発明において、上記固定具が、上記離間方向と直交する水平方向に離間して一対設けられているという構成を採用する。
【００１２】
本発明によれば、長穴を有する２つの固定具によって１つの被係止部を安定して支持することができる。このため、被係止部の姿勢を安定させた状態で長穴に沿って移動させることができ、物品収納ユニットの形状をより容易に変更することが可能となる。
【００１３】
第４の発明は、上記第１〜第３いずれかの発明において、上記収納本体部と上記吊下げ支持部とが布素材からなると共に一体的に連続しているという構成を採用する。
【００１４】
本発明によれば、収納本体部と吊下げ支持部とを布素材によって形成することで、収納本体部と吊下げ支持部に柔軟性を付与することができる。また、収納本体部と吊下げ支持部とが同一材料により一体的に連続して形成されているため、単一の布シートを曲げる等することによって容易に物品収納ユニットを形成することができる。このため、物品収納ユニットを簡易的かつ安価なものとすることができる。
【００１５】
第５の発明は、上記第１〜第４いずれかの発明において、上記吊下げ支持部の外面に設けられるポケットを有するという構成を採用する。
【００１６】
本発明によれば、ポケットにより吊下げ支持部の外面に物品が収容可能となるため、物品収納ユニットの収納量を増加させることが可能となる。
【発明の効果】
【００１７】
本発明によれば、接続位置変更機構により、一対の吊下げ支持部の少なくとも一方の上端位置が水平方向に変更可能とされている。このため、本発明によれば、天板の下方に物品収納ユニットが吊下げ支持された天板付き什器において、執務者が任意に物品収納ユニットの形状を変更することができる。
【図面の簡単な説明】
【００１８】
【図１】本発明の一実施形態における天板昇降式什器の斜視図である。
【図２】本発明の一実施形態における天板昇降式什器を斜め下方から見た天板を含む部分斜視図である。
【図３】本発明の一実施形態における天板昇降式什器が備える物品収納ユニットの分解斜視図である。
【図４】本発明の一実施形態における天板昇降式什器が備える前側固定具の全体図であり、（ａ）が平面図であり、（ｂ）が正面図であり、（ｃ）が側面図である。
【図５】本発明の一実施形態における天板昇降式什器が備える後側固定具の全体図であり、（ａ）が平面図であり、（ｂ）が正面図であり、（ｃ）が側面図である。
【図６】本発明の一実施形態における天板昇降式什器が備える第１棒部材及び第２棒部材の全体図であり、（ａ）が平面図であり、（ｂ）が正面図であり、（ｃ）が側面図である。
【図７】本発明の一実施形態における天板昇降式什器が備える物品収納ユニットの変形の様子を示す斜視図である。
【図８】本発明の一実施形態における天板昇降式什器の第１変形例が備える物品収納部の斜視図である。
【図９】本発明の一実施形態における天板昇降式什器の第２変形例が備える物品収納部の斜視図である。
【発明を実施するための形態】
【００１９】
以下、図面を参照して、本発明に係る天板付き什器の一実施形態について説明する。なお、以下の図面において、各部材を認識可能な大きさとするために、各部材の縮尺を適宜変更している。また、以下の実施形態では、本発明に係る天板付き什器を天板昇降式什器に適用した例について説明する。ただし、本発明に係る天板付き什器は、天板が昇降しない什器に適用することも可能である。
【００２０】
図１は、本実施形態の天板昇降式什器１の斜視図である。また、図２は、本実施形態の天板昇降式什器１を斜め下方から見た天板を含む部分斜視図である。これらの図に示すように、本実施形態の天板昇降式什器１は、昇降脚体部２と、天板３と、配線ダクト４と、操作ユニット５と、物品収納ユニット６とを備えている。
【００２１】
昇降脚体部２は、２つ設けられており、平面視が長方形状の天板３の長辺に沿う方向（以下、左右方向と称する）に離間して配列されている。各々の昇降脚体部２は、床面Ｆ上に立設されており、下部支持体２ａと、昇降ユニット２ｂと、上部支持体２ｃとを有している。
【００２２】
下部支持体２ａは、平面視における天板３の短辺に沿う方向（以下、前後方向と称する）に延びる長尺状の部位であり、床面Ｆに対して直接当接されている。下部支持体２ａは、前後方向の端部の各々に、下方に向けて突出するアジャスタ２ａ１を備えている。これらのアジャスタ２ａ１によって、昇降脚体部２の高さ調整と傾き調整が可能とされている。
【００２３】
昇降ユニット２ｂは、下部支持体２ａの前後方向の中央部から上方に向けて延びて形成され、下部支持体２ａと上部支持体２ｃとを連結している。この昇降ユニット２ｂは、下部筒状体２ｂ１と、中間筒状体２ｂ２と、上部筒状体２ｂ３と、不図示の駆動機構とを備えている。下部筒状体２ｂ１、中間筒状体２ｂ２及び上部筒状体２ｂ３は、平面視における開口面積が異なる四角形筒状に各々が形状設定されている。下部筒状体２ｂ１が中間筒状体２ｂ２を収納し、中間筒状体２ｂ２が上部筒状体２ｂ３を収納している。不図示の駆動機構は、中間筒状体２ｂ２を下部筒状体２ｂ１に対して上下方向に移動させると共に、上部筒状体２ｂ３を中間筒状体２ｂ２に対して上下方向に移動させる。このような昇降ユニット２ｂは、操作ユニット５により入力される指令に基づいて、不図示の制御部の制御の下に、上下方向に伸縮自在とされている。
【００２４】
上部支持体２ｃは、前後方向に延びる長尺状の部位であり、天板３の下面に下方から固定され天板３を支持する。また、上部支持体２ｃは、前後方向の中央部に昇降ユニット２ｂの上部筒状体２ｂ３が固定されており、昇降ユニット２ｂによって下方から支持されている。
【００２５】
これらの昇降脚体部２は、昇降ユニット２ｂの中間筒状体２ｂ２及び上部筒状体２ｂ３を上下方向に移動させることによって、上部支持体２ｃに支持された天板３を昇降させる。つまり、これらの昇降脚体部２は、天板３を下方から支持し、昇降ユニット２ｂを上下方向に伸縮することで天板３の上下位置を変更可能としている。
【００２６】
天板３は、上面が作業スペースとされた板材であり、平面視が左右方向に長い矩形状とされている。天板３の左右方向の両縁部の下面には、昇降脚体部２の上部支持体２ｃが各々固定されている。配線ダクト４は、左右方向に長い樋状の部材であり、天板３の下面に固定されている。この配線ダクト４は、一方の昇降ユニット２ｂの上部支持体２ｃから、他方の昇降ユニット２ｂの上部支持体２ｃに至る長さとされており、各々の上部支持体２ｃの前後方向の中央部に接続されている。このような配線ダクト４は、例えば不図示の電源ケーブルや操作ユニット５の後述する接続ケーブル５ｂ等を下方から支持する。
【００２７】
操作ユニット５は、コントロールパネル５ａと、接続ケーブル５ｂとを備えている。コントロールパネル５ａは、例えば不図示の上昇用ボタンと下降用ボタンが正面に設けられ、執務者により押圧された操作ボタンに応じた指令信号を出力する。このようなコントロールパネル５ａは、執務者の作業の邪魔とならずかつ操作がし易いよう、天板３の執務者側（前側）の左右方向端部寄りであって天板３の下方に位置するように、天板３に固定されている。接続ケーブル５ｂは、コントロールパネル５ａと不図示の制御部とを接続する配線であり、配線ダクト４の内部等を通じて引き廻されている。
【００２８】
物品収納ユニット６は、執務者の鞄や資料等の物品を収容するための部位であり、本実施形態では、天板３の下方であって天板３の右端側に寄せて設置されている。なお、物品収納ユニット６は、天板３の下方であって天板３の左端側に寄せて設置しても良い。図３は、物品収納ユニット６の分解斜視図である。この図に示すように、物品収納ユニット６は、保持シート６ａと、ポケット６ｂと、接続位置変更機構６ｃとを備えている。
【００２９】
保持シート６ａは、端部６ａ１と端部６ａ２とが上部に位置し、これらの端部６ａ１と端部６ａ２との間の中央部が下部に位置し、中央部が平板状とされている。端部６ａ１と端部６ａ２とは、軸芯が前後方向に向けられた円筒形状とされ、左右方向に離間して配置されており、各々が接続位置変更機構６ｃに接続されている。つまり、保持シート６ａは、両端部（端部６ａ１と端部６ａ２）が水平方向に離間して天板３の下面に接続された正面視形状が略Ｕ字型に形状設定されている。このような保持シート６ａは、例えば、保持シート６ａの外面を形成する外装シートと保持シート６ａの内面を形成する補強シートとが積層され、これらのシートの端部が縁部材によってパイピング処理されてなる。外装シートは、外部から視認がし易い箇所に配置されるため、図形やロゴ等の模様が施された意匠性の高いシート材とされている。例えば、このような外装シートは、不織布によって形成されている。補強シートは、外装シートよりも引張強度が高く、外装シートよりも伸縮性が低く、かつ、耐摩耗性に優れた布素材により形成されており、保持シート６ａの強度を確保するための部材とされている。例えば、このような補強シートは、帆布によって形成されている。縁部材は、積層された外装シートと補強シートとの端部を覆う布素材からなる帯状の部材である。
【００３０】
このような本実施形態における保持シート６ａは、全体が柔軟素材である布素材により形成され、外部から押圧された場合に一定の復元力を持って上下方向に変形可能とされている。このような保持シート６ａの中央部の領域は、直接物品が載置される領域であり、物品載置部（物品収納部）として機能する。以下の物品載置部として機能する部位を物品載置部６ａ３と称する。また、保持シート６ａでは、物品載置部６ａ３から端部（端部６ａ１または端部６ａ２）に至るまでの鉛直領域が物品載置部６ａ３を吊下げ支持する吊下げ支持部として機能する。以下、端部６ａ１側の吊下げ支持部として機能する部位を第１吊下げ支持部６ａ４と称し、端部６ａ２側の吊下げ支持部として機能する部位を第２吊下げ支持部６ａ５と称する。
【００３１】
このように本実施形態において物品収納ユニット６は、物品が載置可能な物品載置部６ａ３と、物品載置部６ａ３の左右方向の両端位置の各々に設けられると共に物品載置部６ａ３を吊下げ支持する一対の吊下げ支持部（第１吊下げ支持部６ａ４と第２吊下げ支持部６ａ５）とを有している。また、保持シート６ａの端部６ａ１は、第１吊下げ支持部６ａ４の上端となり、保持シート６ａの端部６ａ２は第２吊下げ支持部６ａ５の上端となる。したがって、第１吊下げ支持部６ａ４の上端と、第２吊下げ支持部６ａ５の上端とが接続位置変更機構６ｃに接続されている。なお、物品載置部６ａ３の剛性を高めかつ上面を平面とするために、保持シート６ａの内部に剛性の高い平板を配設するようにしても良い。
【００３２】
ポケット６ｂは、保持シート６ａの外面に設けられている。このポケット６ｂは、図３に示すように、略矩形のシート材の縁部が保持シート６ａに対して縫い付けられることにより形成されている。なお、本実施形態においてポケット６ｂは、前後方向に収納領域を区画するために、前後方向の途中部位に鉛直方向に延びるステッチ６ｂ１が施されている。
【００３３】
接続位置変更機構６ｃは、前側固定具１０（固定具）と、後側固定具１１（固定具）と、第１棒部材１２（被係止部）と、第２棒部材１３（被係止部）とを備えている。図４は、前側固定具１０の全体図であり、（ａ）が平面図であり、（ｂ）が正面図であり、（ｃ）が側面図である。これらの図に示すように、前側固定具１０は、天板固定プレート１０ａと、棒部材支持プレート１０ｂとが一体的に接続された金属製の部品である。
【００３４】
天板固定プレート１０ａは、表裏面が上下方向に向けられ、天板３の左右方向に長い長尺な板形状の部位である。この天板固定プレート１０ａには、左右方向に離間して２つの貫通孔１０ａ１が形成されている。
【００３５】
棒部材支持プレート１０ｂは、天板固定プレート１０ａの前端から下方に垂下し、表裏面を天板３の前後方向に向けかつ天板３の左右方向に長い長尺な板形状の部位である。この棒部材支持プレート１０ｂの左右方向の長さ寸法は、天板固定プレート１０ａの左右方向の長さ寸法と一致されている。棒部材支持プレート１０ｂの左端近傍の箇所には、前後方向に貫通しかつ左右方向に延びる長穴１０ｂ１が形成されている。この長穴１０ｂ１は、第１棒部材１２が前後方向に挿通される領域であり、高さ寸法が第１棒部材１２の直径寸法よりも僅かに大きく設定されている。また、長穴１０ｂ１の左右方向の両端部には、下方に向けて窪む凹部１０ｂ２が形成されている。これらの凹部１０ｂ２は、第１棒部材１２が収容された場合に、第１棒部材１２の左右方向の移動を規制するための領域である。また、棒部材支持プレート１０ｂの右端近傍の箇所には、前後方向に貫通する丸穴１０ｂ３が形成されている。この丸穴１０ｂ３は、第２棒部材１３が前後方向に挿通される領域であり、直径寸法が第２棒部材１３の直径寸法よりも僅かに大きく設定されている。
【００３６】
このような前側固定具１０は、図２に示すように、天板３の下面であって天板３の前端近傍に配置されている。この前側固定具１０は、天板固定プレート１０ａを天板３の下面に当接させ、天板固定プレート１０ａに設けられた貫通孔１０ａ１に挿通されたボルトによって天板３に対して固定される。
【００３７】
図５は、後側固定具１１の全体図であり、（ａ）が平面図であり、（ｂ）が正面図であり、（ｃ）が側面図である。これらの図に示すように、後側固定具１１は、ダクト固定プレート１１ａと、連結プレート１１ｂと、棒部材支持プレート１１ｃとが一体的に接続された金属製の部品である。
【００３８】
ダクト固定プレート１１ａは、表裏面が前後方向に向けられ、天板３の左右方向に長い長尺な板形状の部位である。このダクト固定プレート１１ａには、左右方向に離間して２つの貫通孔１１ａ１が形成されている。連結プレート１１ｂは、ダクト固定プレート１１ａの下端から後側に延出し、表裏面を上下方向に向けかつ天板３の左右方向に長い長尺な板形状の部位である。この連結プレート１１ｂは、ダクト固定プレート１１ａと棒部材支持プレート１１ｃとを連結するための部位である。
【００３９】
棒部材支持プレート１１ｃは、連結プレート１１ｂの後端から下方に垂下し、表裏面を天板３の前後方向に向けかつ天板３の左右方向に長い長尺な板形状の部位である。また、本実施形態においては、棒部材支持プレート１１ｃの左右方向の長さ寸法がダクト固定プレート１１ａ及び連結プレート１１ｂよりも長く、棒部材支持プレート１１ｃの右端側がダクト固定プレート１１ａ及び連結プレート１１ｂよりも右側に突出している。ただし、棒部材支持プレート１１ｃの左右方向の長さ寸法は、ダクト固定プレート１１ａ及び連結プレート１１ｂと同一に設定されていても良い。
【００４０】
棒部材支持プレート１１ｃの左端近傍の箇所には、前後方向に貫通しかつ左右方向に延びる長穴１１ｃ１が形成されている。この長穴１１ｃ１は、第１棒部材１２が前後方向に挿通される領域であり、高さ寸法が第１棒部材１２の直径寸法よりも僅かに大きく設定されている。また、長穴１１ｃ１の左右方向の両端部には、下方に向けて窪む凹部１１ｃ２が形成されている。これらの凹部１１ｃ２は、第１棒部材１２が収容された場合に、第１棒部材１２の左右方向の移動を規制するための領域である。また、棒部材支持プレート１１ｃの右端近傍の箇所には、前後方向に貫通する丸穴１１ｃ３が形成されている。この丸穴１１ｃ３は、第２棒部材１３が前後方向に挿通される領域であり、直径寸法が第２棒部材１３の直径寸法よりも僅かに大きく設定されている。なお、これらの後側固定具１１に設けられた長穴１１ｃ１及び丸穴１１ｃ３は、前側固定具１０に設けられた長穴１０ｂ１及び丸穴１０ｂ３と同一とされている。また、後側固定具１１に設けられた長穴１１ｃ１から丸穴１１ｃ３までの離間距離は、前側固定具１０に設けられた長穴１０ｂ１から丸穴１０ｂ３までの離間距離と同一とされている。
【００４１】
このような後側固定具１１は、図２に示すように、配線ダクト４に固定されている。この後側固定具１１は、ダクト固定プレート１１ａを配線ダクト４の前面に当接させ、ダクト固定プレート１１ａに設けられた貫通孔１１ａ１に挿通されたボルトによって配線ダクト４に対して固定される。
【００４２】
また、後側固定具１１は、前側固定具１０の後方に配置されている。つまり、本実施形態では、一対の固定具（前側固定具１０と後側固定具１１）が、天板３の下方に配置され、第１吊下げ支持部６ａ４と第２吊下げ支持部６ａ５との離間方向と直交する水平方向に離間して設けられている。なお、前側固定具１０に設けられた長穴１０ｂ１と後側固定具１１に設けられた長穴１１ｃ１とは、前側から見て、左右方向の位置が一致され、高さ方向にずれて配置されている。前側固定具１０に設けられた長穴１０ｂ１が後側固定具１１に設けられた長穴１１ｃ１よりも上方に配置されている。また、前側固定具１０に設けられた丸穴１０ｂ３と後側固定具１１に設けられた丸穴１１ｃ３とは、前側から見て、左右方向の位置が一致され、高さ方向にずれて配置されている。前側固定具１０に設けられた丸穴１０ｂ３が後側固定具１１に設けられた丸穴１１ｃ３よりも上方に配置されている。
【００４３】
図６は、第１棒部材１２の全体図であり、（ａ）が平面図であり、（ｂ）が正面図であり、（ｃ）が側面図である。なお、図６において、（ａ）及び（ｃ）の左側が天板３の前側に相当し、右側が天板３の後側に相当する。これらの図に示すように、第１棒部材１２は、棒本体１２ａと、前側エンドキャップ１２ｂと、後側エンドキャップ１２ｃとを備えている。
【００４４】
棒本体１２ａは、前側が略Ｕ字型に屈曲された筒状の棒部材であり、前端及び後端が開放端とされている。この棒本体１２ａは、前側が上方に屈曲した後に後方に屈曲した略Ｕ字型とされており、前端及び後端が両方とも後方に向けられている。なお、棒本体１２ａの後端から前端までの高さ方向の離間距離は、前側固定具１０に設けられた長穴１０ｂ１と後側固定具１１に設けられた長穴１１ｃ１との離間距離と同一に設定されている。
【００４５】
前側エンドキャップ１２ｂは、棒本体１２ａの前端を封止するように棒本体１２ａに固定されている。この前側エンドキャップ１２ｂは、頭部の直径寸法が前側固定具１０の長穴１０ｂ１の高さ寸法よりも大きく設定され、長穴１０ｂ１を抜けられない大きさに設定されている。後側エンドキャップ１２ｃは、棒本体１２ａの後端を封止するように棒本体１２ａに固定されている。この後側エンドキャップ１２ｃは、頭部の直径寸法が後側固定具１１の長穴１１ｃ１の高さ寸法よりも大きく設定され、長穴１１ｃ１を抜けられない大きさに設定されている。なお、前側エンドキャップ１２ｂ及び後側エンドキャップ１２ｃの少なくともいずれかは棒本体１２ａに対して着脱可能に固定されている。
【００４６】
このような第１棒部材１２は、棒本体１２ａの屈曲していない領域が保持シート６ａの筒状の端部６ａ１（第１吊下げ支持部６ａ４の上端）に挿通されることで第１吊下げ支持部６ａ４と接続されている。また、第１棒部材１２は、棒本体１２ａが前側固定具１０の長穴１０ｂ１と後側固定具１１の長穴１１ｃ１とに前後方向に挿通されることにより、前側固定具１０及び後側固定具１１に係止されている。さらに、第１棒部材１２は、前側固定具１０の長穴１０ｂ１と後側固定具１１の長穴１１ｃ１に沿って左右方向に移動可能とされている。
【００４７】
第２棒部材１３は、第１棒部材１２と同一の形状とされている。つまり、図６のかっこ内の符号で示すように、第２棒部材１３は、棒本体１３ａと、前側エンドキャップ１３ｂと、後側エンドキャップ１３ｃとを備えている。
【００４８】
棒本体１３ａは、前側が略Ｕ字型に屈曲された筒状の棒部材であり、前端及び後端が開放端とされている。この棒本体１３ａは、前側が上方に屈曲した後に後方に屈曲した略Ｕ字型とされており、前端及び後端が両方とも後方に向けられている。なお、棒本体１３ａの後端から前端までの高さ方向の離間距離は、前側固定具１０に設けられた丸穴１０ｂ３と後側固定具１１に設けられた丸穴１１ｃ３との離間距離と同一に設定されている。
【００４９】
前側エンドキャップ１３ｂは、棒本体１３ａの前端を封止するように棒本体１３ａに固定されている。この前側エンドキャップ１３ｂは、頭部の直径寸法が前側固定具１０の丸穴１０ｂ３の直径寸法よりも大きく設定され、丸穴１０ｂ３を抜けられない大きさに設定されている。後側エンドキャップ１３ｃは、棒本体１３ａの後端を封止するように棒本体１３ａに固定されている。この後側エンドキャップ１３ｃは、頭部の直径寸法が後側固定具１１の丸穴１１ｃ３の直径寸法よりも大きく設定され、丸穴１１ｃ３を抜けられない大きさに設定されている。
【００５０】
このような第２棒部材１３は、棒本体１３ａの屈曲していない領域が保持シート６ａの筒状の端部６ａ２（第２吊下げ支持部６ａ５の上端）に挿通されることで第２吊下げ支持部６ａ５と接続されている。また、第２棒部材１３は、棒本体１３ａが前側固定具１０の丸穴１０ｂ３と後側固定具１１の丸穴１１ｃ３とに前後方向に挿通されることにより、前側固定具１０及び後側固定具１１に軸支されている。
【００５１】
このような接続位置変更機構６ｃは、第１吊下げ支持部６ａ４の上端と、第２吊下げ支持部６ａ５の上端とが接続され、第１棒部材１２を執務者が持ち上げて長穴１０ｂ１及び長穴１１ｃ１に沿って水平方向に移動させることにより、第１吊下げ支持部６ａ４の左右方向の位置を変更可能としている。
【００５２】
以上のような構成の本実施形態の天板昇降式什器１においては、執務者が操作ユニット５のコントロールパネル５ａの上昇ボタンを押すと、天板３を上昇させる指令信号がコントロールパネル５ａから接続ケーブル５ｂを介して制御部に入力され、制御部の制御の下、駆動機構により昇降脚体部２の昇降ユニット２ｂが延びる。これによって、昇降ユニット２ｂに支持された天板３が上方に移動される。一方で、執務者が操作ユニット５のコントロールパネル５ａの下降ボタンを押すと、天板３を下降させる指令信号がコントロールパネル５ａから接続ケーブル５ｂを介して制御部に入力され、制御部の制御の下、駆動機構により昇降脚体部２の昇降ユニット２ｂが縮む。これによって、昇降ユニット２ｂに支持された天板３が下方に移動される。
【００５３】
また、本実施形態の天板昇降式什器１においては、接続位置変更機構６ｃの第１棒部材１２を執務者が持ち上げて長穴１０ｂ１及び長穴１１ｃ１に沿って水平方向に移動させることにより、物品収納ユニット６の形状を任意に変更することができる。図７は、物品収納ユニット６の変形の様子を示す斜視図である。この図に示すように、本実施形態においては、第１棒部材１２を長穴１０ｂ１及び長穴１１ｃ１の右端に寄せることによって、第１吊下げ支持部６ａ４と第２吊下げ支持部６ａ５とが略平行となった形状に物品収納ユニット６を形状設定することができる。また、第１棒部材１２を長穴１０ｂ１及び長穴１１ｃ１の左端に寄せることによって、第１吊下げ支持部６ａ４と第２吊下げ支持部６ａ５とが上方に向かうに従って離間するように傾斜し、物品載置部６ａ３が持ち上がった形状に物品収納ユニット６を形状設定することができる。
【００５４】
以上のような本実施形態の天板昇降式什器１によれば、物品載置部６ａ３を吊下げ支持する一対の吊下げ支持部（第１吊下げ支持部６ａ４及び第２吊下げ支持部６ａ５）のうち第１吊下げ支持部６ａ４の上端が接続位置変更機構６ｃにより、第１吊下げ支持部６ａ４と第２吊下げ支持部６ａ５とが離間する方向に移動可能とされている。このため、接続位置変更機構６ｃにより第１吊下げ支持部６ａ４の上端位置が変更されることによって、第１吊下げ支持部６ａ４及び第２吊下げ支持部６ａ５の姿勢が変更され、物品収納ユニット６が変形する。したがって、本実施形態の天板昇降式什器１によれば、接続位置変更機構６ｃを執務者が操作することによって、物品収納ユニット６を容易に形状変更することができる。よって、本実施形態の天板昇降式什器１によれば、執務者が任意に物品収納ユニット６の形状を変更することができる。
【００５５】
また、本実施形態の天板昇降式什器１においては、接続位置変更機構６ｃが、天板３の下方に配置されると共に左右方向に延びる長穴１０ｂ１を有する前側固定具１０と、天板３の下方に配置されると共に左右方向に延びる長穴１１ｃ１を有する後側固定具１１と、長穴１０ｂ１及び長穴１１ｃ１に沿って左右方向に移動可能に前側固定具１０及び後側固定具１１に係止されると共に第１吊下げ支持部６ａ４の上端が接続された第１棒部材１２とを備えている。このため、第１棒部材１２を長穴１０ｂ１及び長穴１１ｃ１に沿って移動させることによって容易に第１吊下げ支持部６ａ４の上端位置を変更することができる。したがって、本実施形態の天板昇降式什器１によれば、物品収納ユニット６の形状をより容易に変更することが可能となる。
【００５６】
また、本実施形態の天板昇降式什器１においては、固定具（前側固定具１０及び後側固定具１１）が、前後方向に離間して一対設けられている。このため、前側固定具１０及び後側固定具１１によって第１棒部材１２を安定して支持することができる。このため、第１棒部材１２の姿勢を安定させた状態で長穴１０ｂ１及び長穴１１ｃ１に沿って移動させることができ、物品収納ユニット６の形状をより容易に変更することが可能となる。
【００５７】
また、本実施形態の天板昇降式什器１においては、物品載置部６ａ３と、第１吊下げ支持部６ａ４と、第２吊下げ支持部６ａ５とが布素材からなると共に一体的に連続している。このため、物品載置部６ａ３、第１吊下げ支持部６ａ４及び第２吊下げ支持部６ａ５に柔軟性を付与することができる。また、物品載置部６ａ３、第１吊下げ支持部６ａ４及び第２吊下げ支持部６ａ５が同一材料により一体的に連続して形成されているため、単一の布シートを曲げる等することによって容易に物品収納ユニット６を形成することができる。このため、物品収納ユニット６を簡易的かつ安価なものとすることができる。
【００５８】
また、本実施形態の天板昇降式什器１においては、第１吊下げ支持部６ａ４の外面に設けられるポケット６ｂを有する。このようなポケット６ｂにより第１吊下げ支持部６ａ４の外面に物品が収容可能となるため、物品収納ユニット６の収納量を増加させることが可能となる。
【００５９】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００６０】
例えば、上記実施形態においては、第１棒部材１２を長穴１０ｂ１及び長穴１１ｃ１に沿って左右方向に移動可能とすることで第１吊下げ支持部６ａ４の上端位置を変更可能とする構成について説明した。しかしながら、本発明はこれに限定されるものではなく、例えば、図８に示すように、左右方向に配列された複数の丸穴２０を前側固定具１０及び後側固定具１１に設けても良い。このような場合には、例えば第１棒部材１２の前側エンドキャップ１２ｂと後側エンドキャップ１２ｃとを取り外して、第１棒部材１２の接続位置を、丸穴２０を選択して変更し、その後、前側エンドキャップ１２ｂと後側エンドキャップ１２ｃとを再び取り付けることで、第１吊下げ支持部６ａ４の上端位置を変更することができる。
【００６１】
また、図９は、上記実施形態の天板昇降式什器１の物品収納ユニット６の変形例を示す斜視図である。この図に示すように、保持シート６ａに吊下げ支持される箱体からなる収納ボックス５０（箱体）を設置するようにしても良い。収納ボックス５０は、上面が平面である筐体５１と、筐体５１に対して前後方向に摺動可能な引出し部５２とを備えている。このような構成を採用する場合には、収納ボックス５０が本発明の収納本体部として機能する。このような構成を採用することにより、物品を収納ボックス５０の内部の物品収納空間に収容できるため、第１吊下げ支持部６ａ４と第２吊下げ支持部６ａ５とが変形した場合であっても、物品が収納ボックス５０から落下することを防止することができる。
【００６２】
また、上記実施形態においては、物品載置部６ａ３、第１吊下げ支持部６ａ４及び第２吊下げ支持部６ａ５が柔軟素材によって形成された構成について説明した。しかしながら、本発明はこれに限定されるものではなく、物品載置部６ａ３、第１吊下げ支持部６ａ４及び第２吊下げ支持部６ａ５を剛性の高い板部材等によって形成することも可能である。このような場合であっても、物品載置部６ａ３と第１吊下げ支持部６ａ４との接続箇所、及び、物品載置部６ａ３と第２吊下げ支持部６ａ５との接続箇所とをヒンジ機構とすることにより、物品収納ユニット６の形状を変更することができる。
【００６３】
また、上記実施形態においては、第１吊下げ支持部６ａ４と第２吊下げ支持部６ａ５のうち、第１吊下げ支持部６ａ４の上端のみが接続位置変更機構６ｃによって移動可能とされた構成について説明した。しかしながら、本発明はこれに限定されるものではなく、第１吊下げ支持部６ａ４の上端と第２吊下げ支持部６ａ５の上端との両方を移動可能とする構成を採用することもできる。また、第１吊下げ支持部６ａ４と第２吊下げ支持部６ａ５のうち、第２吊下げ支持部６ａ５の上端のみが移動可能とされた構成を採用することも可能である。
【符号の説明】
【００６４】
１……天板昇降式什器（天板付き什器）、２……昇降脚体部（脚体部）、３……天板、６……物品収納ユニット、６ａ……保持シート、６ａ１……端部、６ａ２……端部、６ａ３……物品載置部（収容部本体）、６ａ４……第１吊下げ支持部、６ａ５……第２吊下げ支持部、６ｂ……ポケット、６ｃ……接続位置変更機構、１０……前側固定具、１１……後側固定具、１２……第１棒部材（被係止部）、１３……第２棒部材
【図１】
2018121946.tif 000003
【図２】
2018121946.tif 000004
【図３】
2018121946.tif 000005
【図４】
2018121946.tif 000006
【図５】
2018121946.tif 000007
【図６】
2018121946.tif 000008
【図７】
2018121946.tif 000009
【図８】
2018121946.tif 000010
【図９】
2018121946.tif 000011